(57)【要約】      （修正有）【課題】ユーザに安定して番組コンテンツを視聴させる。【解決手段】コンテンツ視聴システムＳは、無線ネットワークＮ１と、コンテンツを受信する受信機７が接続されるネットワークＮ３とを介して、受信機７からコンテンツを受信可能な携帯端末１と、受信機７とは異なるコンテンツ提供装置とを備える。携帯端末１は、携帯端末１が移動中であるか否かを判定する移動判定部と、移動判定部により携帯端末１が移動中ではないと判定された場合に、受信機７にコンテンツの送信を要求し、携帯端末１が移動中であると判定された場合に、コンテンツ提供装置にコンテンツの送信を要求する送信要求部と、を有する。コンテンツ提供装置は、携帯端末１からコンテンツの送信が要求されると、当該コンテンツを携帯端末１に送信する。【選択図】図１
2019024204.tif 000002
【特許請求の範囲】
【請求項１】
無線ネットワークと、コンテンツを受信する受信機が接続されるネットワークとを介して、前記受信機から前記コンテンツを受信可能な携帯端末と、前記受信機とは異なるコンテンツ提供装置とを備えるコンテンツ視聴システムであって、
前記携帯端末は、
前記携帯端末が移動中であるか否かを判定する移動判定部と、
前記移動判定部により前記携帯端末が移動中ではないと判定された場合に、前記受信機に前記コンテンツの送信を要求し、前記携帯端末が移動中であると判定された場合に、前記コンテンツ提供装置に前記コンテンツの送信を要求する送信要求部と、
を有し、
前記コンテンツ提供装置は、前記携帯端末からコンテンツの送信が要求されると、当該コンテンツを前記携帯端末に送信する、
コンテンツ視聴システム。
【請求項２】
前記コンテンツ提供装置は、一つの前記コンテンツに対応する複数の品質のコンテンツを記憶し、前記携帯端末からコンテンツの送信が要求されると、当該コンテンツに対応する複数の品質のコンテンツのうち、前記携帯端末との通信状況に適した品質に対応するコンテンツを前記携帯端末に送信する、
請求項１に記載のコンテンツ視聴システム。
【請求項３】
無線ネットワークと、コンテンツを受信する受信機が接続されるネットワークとを介して、前記受信機から前記コンテンツを受信可能な携帯端末であって、
前記携帯端末が移動中であるか否かを判定する移動判定部と、
前記移動判定部により前記携帯端末が移動中ではないと判定された場合に、前記受信機に前記コンテンツの送信を要求し、前記携帯端末が移動中であると判定された場合に、前記受信機とは異なるコンテンツ提供装置に前記コンテンツの送信を要求する送信要求部と、
を備える携帯端末。
【請求項４】
前記無線ネットワークにおける前記携帯端末への下りの通信速度を特定する第１特定部と、
前記ネットワークにおける前記受信機からの上りの通信速度を特定する第２特定部と、
をさらに備え、
前記送信要求部は、前記携帯端末が移動中ではないと判定された場合に、前記下りの通信速度及び前記上りの通信速度に基づいて、前記コンテンツの視聴に適した当該コンテンツの品質を特定し、前記受信機に、特定した前記品質の前記コンテンツの送信を要求する、
請求項３に記載の携帯端末。
【請求項５】
前記第１特定部は、前記無線ネットワークの通信種別を示す情報を取得し、当該通信種別に基づいて、前記下りの通信速度を特定する、
請求項４に記載の携帯端末。
【請求項６】
前記無線ネットワークには、前記無線ネットワークにおける通信を制御する無線通信制御装置が設けられており、
前記第１特定部は、前記無線通信制御装置とのラウンドトリップタイムを測定することにより、前記下りの通信速度を特定する、
請求項４又は５に記載の携帯端末。
【請求項７】
前記ネットワークには、前記ネットワークにおける通信を監視する通信監視装置が設けられており、
前記第２特定部は、前記通信監視装置から、前記上りの通信速度を示す情報を取得することにより、前記上りの通信速度を特定する、
請求項４から６のいずれか１項に記載の携帯端末。
【請求項８】
前記下りの通信速度及び前記上りの通信速度に基づいて、前記無線ネットワーク及び前記ネットワークのそれぞれの通信品質を特定する情報を前記携帯端末のユーザに通知する通知部、
をさらに備える、
請求項４から７のいずれか１項に記載の携帯端末。
【請求項９】
前記通知部は、前記下りの通信速度及び前記上りの通信速度の少なくともいずれかが、前記コンテンツの視聴に必要とされる通信速度に足りていない場合に、前記無線ネットワーク及び前記ネットワークのそれぞれの通信品質を特定する情報を前記携帯端末のユーザに通知するとともに、前記受信機とは異なるコンテンツ提供装置を介して前記コンテンツを視聴することを当該ユーザに提示する、
請求項８に記載の携帯端末。
【請求項１０】
前記コンテンツ提供装置の負荷状況を特定する第３特定部をさらに備え、
前記通知部は、前記コンテンツ提供装置の負荷状況に基づいて、前記コンテンツ提供装置を介して前記コンテンツを視聴する際における当該コンテンツの視聴方式を提示する、
請求項８又は９に記載の携帯端末。
【請求項１１】
携帯端末がコンテンツを受信するコンテンツ受信方法であって、
前記携帯端末が、自身が移動中であるか否かを判定するステップと、
前記携帯端末が、自身が移動中ではないと判定した場合に、ネットワークと接続され、前記コンテンツを受信する受信機に、無線ネットワークと前記ネットワークとを介して前記コンテンツの送信を要求し、自身が移動中であると判定した場合に、前記受信機とは異なるコンテンツ提供装置に、前記無線ネットワークを介して前記コンテンツの送信を要求するステップと、
前記受信機が、前記携帯端末から前記コンテンツの送信が要求されると、前記無線ネットワークと前記ネットワークとを介して前記コンテンツを前記携帯端末に送信するステップと、
前記コンテンツ提供装置が、前記携帯端末から前記コンテンツの送信が要求されると、前記無線ネットワークを介して前記コンテンツを前記携帯端末に送信するステップと、
前記携帯端末が、前記受信機又は前記コンテンツ提供装置から前記コンテンツを受信するステップと、
を備えるコンテンツ受信方法。
【発明の詳細な説明】
【技術分野】
【０００１】
本発明は、コンテンツ視聴システム、携帯端末及びコンテンツ受信方法に関する。
【背景技術】
【０００２】
近年、ユーザの宅内に設置された端末等に録画した番組を、ネットワークを介して、携帯端末等によってリモートで視聴可能とする遠隔視聴サービスが提供されている（例えば、特許文献１参照）。
【０００３】
この遠隔視聴サービスでは、宅内に設置されたテレビ放送の受信端末やＮＡＳ（Network Attached Storage）サーバに、屋外からアクセスする端末を登録端末として予め登録しておく。そして、受信端末やＮＡＳサーバは、登録端末からの指示に応じて、録画された番組コンテンツや放送中の番組コンテンツを上り回線及びインターネットを介して、当該登録端末に送信する。
【先行技術文献】
【特許文献】
【０００４】
【特許文献１】特開２００８−２４４６５６公報
【発明の概要】
【発明が解決しようとする課題】
【０００５】
ところで、ケーブルテレビ事業者が遠隔視聴サービスを提供する場合、ユーザは、ケーブルテレビ提供事業者から貸与されるセットトップボックス（STB：Set Top Box、以下ＳＴＢという。）を自宅に設置し、当該ＳＴＢに録画した番組コンテンツを遠隔視聴する。
【０００６】
ＳＴＢから送信される番組コンテンツを登録端末において安定して受信するためには、ＳＴＢから登録端末までの通信経路において安定した帯域が提供される必要がある。この通信経路には、ＤＯＣＳＩＳ（Data Over Cable Service Interface Specifications）に準拠しケーブルテレビ事業者が管理するネットワークと、携帯端末から基地局までの無線ネットワークとが含まれている。
【０００７】
これらのネットワークは、特性が大きく異なるため、各ネットワークにおいて混雑する時間も大きく異なっている。例えば、通勤時間帯には、無線ネットワークにおけるトラヒックが大きく増加し、通勤時間帯に隣接する時間帯（例えば、出勤前又は帰宅後の時間帯）には、ケーブルテレビ事業者が管理するネットワークにおけるトラヒックが大きく増加する。また、ケーブルテレビ事業者が管理するネットワークにおいては、一のノード下において、凡そ５００〜１０００のユーザがネットワーク帯域を分け合って使用している。このため、時間帯やノードにおける混雑状況によっては、ＳＴＢから登録端末までの通信経路において十分な通信速度がでない場合がある。
【０００８】
そこで、本発明はこれらの点に鑑みてなされたものであり、ユーザに安定して番組コンテンツを視聴させることができるコンテンツ視聴システム、携帯端末及びコンテンツ受信方法を提供することを目的とする。
【課題を解決するための手段】
【０００９】
本発明の第１の態様に係るコンテンツ視聴システムは、無線ネットワークと、コンテンツを受信する受信機が接続されるネットワークとを介して、前記受信機から前記コンテンツを受信可能な携帯端末と、前記受信機とは異なるコンテンツ提供装置とを備えるコンテンツ視聴システムであって、前記携帯端末は、前記携帯端末が移動中であるか否かを判定する移動判定部と、前記移動判定部により前記携帯端末が移動中ではないと判定された場合に、前記受信機に前記コンテンツの送信を要求し、前記携帯端末が移動中であると判定された場合に、前記コンテンツ提供装置に前記コンテンツの送信を要求する送信要求部と、を有し、前記コンテンツ提供装置は、前記携帯端末からコンテンツの送信が要求されると、当該コンテンツを前記携帯端末に送信する。
【００１０】
前記コンテンツ提供装置は、一つの前記コンテンツに対応する複数の品質のコンテンツを記憶し、前記携帯端末からコンテンツの送信が要求されると、当該コンテンツに対応する複数の品質のコンテンツのうち、前記携帯端末との通信状況に適した品質に対応するコンテンツを前記携帯端末に送信してもよい。
【００１１】
本発明の第２の態様に係る携帯端末は、無線ネットワークと、コンテンツを受信する受信機が接続されるネットワークとを介して、前記受信機から前記コンテンツを受信可能な携帯端末であって、前記携帯端末が移動中であるか否かを判定する移動判定部と、前記移動判定部により前記携帯端末が移動中ではないと判定された場合に、前記受信機に前記コンテンツの送信を要求し、前記携帯端末が移動中であると判定された場合に、前記受信機とは異なるコンテンツ提供装置に前記コンテンツの送信を要求する送信要求部と、を備える。
【００１２】
前記無線ネットワークにおける前記携帯端末への下りの通信速度を特定する第１特定部と、前記ネットワークにおける前記受信機からの上りの通信速度を特定する第２特定部と、をさらに備え、前記送信要求部は、前記携帯端末が移動中ではないと判定された場合に、前記下りの通信速度及び前記上りの通信速度に基づいて、前記コンテンツの視聴に適した当該コンテンツの品質を特定し、前記受信機に、特定した前記品質の前記コンテンツの送信を要求してもよい。
【００１３】
前記第１特定部は、前記無線ネットワークの通信種別を示す情報を取得し、当該通信種別に基づいて、前記下りの通信速度を特定してもよい。
【００１４】
前記無線ネットワークには、前記無線ネットワークにおける通信を制御する無線通信制御装置が設けられており、前記第１特定部は、前記無線通信制御装置とのラウンドトリップタイムを測定することにより、前記下りの通信速度を特定してもよい。
【００１５】
前記ネットワークには、前記ネットワークにおける通信を監視する通信監視装置が設けられており、前記第２特定部は、前記通信監視装置から、前記上りの通信速度を示す情報を取得することにより、前記上りの通信速度を特定してもよい。
【００１６】
前記携帯端末は、前記下りの通信速度及び前記上りの通信速度に基づいて、前記無線ネットワーク及び前記ネットワークのそれぞれの通信品質を特定する情報を前記携帯端末のユーザに通知する通知部、をさらに備えてもよい。
【００１７】
前記通知部は、前記下りの通信速度及び前記上りの通信速度の少なくともいずれかが、前記コンテンツの視聴に必要とされる通信速度に足りていない場合に、前記無線ネットワーク及び前記ネットワークのそれぞれの通信品質を特定する情報を前記携帯端末のユーザに通知するとともに、前記受信機とは異なるコンテンツ提供装置を介して前記コンテンツを視聴することを当該ユーザに提示してもよい。
【００１８】
前記携帯端末は、前記コンテンツ提供装置の負荷状況を特定する第３特定部をさらに備え、前記通知部は、前記コンテンツ提供装置の負荷状況に基づいて、前記コンテンツ提供装置を介して前記コンテンツを視聴する際における当該コンテンツの視聴方式を提示してもよい。
【００１９】
本発明の第３の態様に係るコンテンツ受信方法は、携帯端末がコンテンツを受信するコンテンツ受信方法であって、前記携帯端末が、自身が移動中であるか否かを判定するステップと、前記携帯端末が、自身が移動中ではないと判定した場合に、ネットワークと接続され、前記コンテンツを受信する受信機に、無線ネットワークと前記ネットワークとを介して前記コンテンツの送信を要求し、自身が移動中であると判定した場合に、前記受信機とは異なるコンテンツ提供装置に、前記無線ネットワークを介して前記コンテンツの送信を要求するステップと、前記受信機が、前記携帯端末から前記コンテンツの送信が要求されると、前記無線ネットワークと前記ネットワークとを介して前記コンテンツを前記携帯端末に送信するステップと、前記コンテンツ提供装置が、前記携帯端末から前記コンテンツの送信が要求されると、前記無線ネットワークを介して前記コンテンツを前記携帯端末に送信するステップと、前記携帯端末が、前記受信機又は前記コンテンツ提供装置から前記コンテンツを受信するステップと、を備える。
【発明の効果】
【００２０】
本発明によれば、ユーザに安定して番組コンテンツを視聴させることができるという効果を奏する。
【図面の簡単な説明】
【００２１】
【図１】第１実施形態に係るコンテンツ視聴システムの構成及び周辺環境を示す図である。
【図２】第１実施形態に係る携帯端末の構成を示す図である。
【図３】第１実施形態に係る通知部が通知するメッセージの一例を示す図である。
【図４】第１実施形態に係る通信監視装置の構成を示す図である。
【図５】第１実施形態に係るノードトラヒックＤＢに記憶されている情報の一例を示す図である。
【図６】第１実施形態に係る受信機の構成を示す図である。
【図７】第１実施形態に係る携帯端末から番組コンテンツを遠隔視聴する際のシーケンス図である。
【図８】図７に続くシーケンス図である。
【図９】第２実施形態に係る受信機の構成を示す図である。
【図１０】第３実施形態に係るコンテンツ視聴システムの構成及び周辺環境を示す図である。
【図１１】第３実施形態に係る携帯端末の構成を示す図である。
【図１２】第３実施形態に係る通知部が通知するメッセージの一例を示す図である。
【図１３】第４実施形態に係る携帯端末の構成を示す図である。
【発明を実施するための形態】
【００２２】
＜第１実施形態＞
以下、本発明の第１実施形態について説明する。
［コンテンツ視聴システムＳの構成］
図１は、第１実施形態に係るコンテンツ視聴システムＳの構成及び周辺環境を示す図である。コンテンツ視聴システムＳは、携帯端末１と、無線通信制御装置２と、通信監視装置４と、受信機７とを備える。コンテンツ視聴システムＳは、携帯端末１が受信機７に記憶されている番組コンテンツ等を遠隔視聴するためのシステムである。
【００２３】
無線通信制御装置２は、携帯電話網等の無線ネットワークＮ１に設けられており、無線ネットワークＮ１における通信を制御する。携帯端末１は、無線基地局３を介して無線通信制御装置２に接続されている。
【００２４】
通信監視装置４は、ケーブルテレビのセンター局に設けられているサーバである。通信監視装置４は、有線ネットワークとしてのケーブルテレビ網Ｎ２をインターネット等のネットワークＮ３に接続するための装置であるＣＭＴＳ（Cable Modem Termination System）５に接続されている。通信監視装置４は、ケーブルテレビ網Ｎ２における通信トラヒックを監視する。通信監視装置４は、例えば、受信機７からの上りの混雑状況を測定する。
【００２５】
ＣＭＴＳ５は、図示しない光伝送装置を介して、複数のノードアンプ６に接続されており、ＤＯＣＳＩＳに準拠しケーブルテレビ事業者が管理するケーブルテレビ網Ｎ２を構成する。ＣＭＴＳ５は、ケーブルテレビ網Ｎ２を介して、複数のノードアンプ６のそれぞれに接続されている複数の受信機７の通信を制御する。また、ＣＭＴＳ５は、ネットワークＮ３を介して、無線通信制御装置２に接続されている。
【００２６】
受信機７は、ケーブルテレビを利用するユーザの住宅に設けられているＴＶ受信端末であり、例えば、ケーブルテレビ事業者がユーザに提供するセットトップボックスである。本実施形態において、受信機７は、放送局やケーブルテレビ事業者が放送する番組コンテンツを受信し、テレビ等のディスプレイに表示させる。また、受信機７は、ユーザの指示に応じて、当該番組コンテンツを録画し、受信機７に設けられた記憶部や、受信機７に接続された記憶装置（不図示）に記憶させる。受信機７は、予め登録された携帯端末１からの遠隔視聴リクエストに対して、当該携帯端末１に番組コンテンツを送信する。
【００２７】
携帯端末１は、例えば、受信機７のユーザが所有するスマートフォン等の携帯電話機である。携帯端末１は、受信機７が設置されているユーザ宅の宅外に位置している場合に、無線ネットワークＮ１、ネットワークＮ３及びケーブルテレビ網Ｎ２を介して受信機７にアクセスし、受信機７に記憶されている番組コンテンツや、受信機７が受信中の番組コンテンツを遠隔視聴することが可能である。
【００２８】
ところで、これらのネットワークは、特性が大きく異なるため、各ネットワークにおいて混雑する時間も大きく異なっている。また、ケーブルテレビ事業者が管理するケーブルテレビ網Ｎ２においては、一のノードアンプ６に、凡そ５００〜１０００のユーザがネットワーク帯域を分け合って使用している。このため、時間帯やノードにおける混雑状況によっては、受信機７から携帯端末１までの通信経路において番組コンテンツの視聴に対して十分な通信速度がでない場合がある。
【００２９】
この場合において、本実施形態に係るコンテンツ視聴システムＳは、無線ネットワークＮ１及びケーブルテレビ網Ｎ２のそれぞれの通信速度を特定し、いずれかの通信速度が番組コンテンツの遠隔視聴に適していない場合に、どのネットワークが遅いのかを示す情報を携帯端末１に通知する。これにより、ユーザは、当該通知に基づいて、各ネットワークの状況を把握し、番組コンテンツを良好に閲覧するための行動をとることができる。
以下、携帯端末１、通信監視装置４及び受信機７の構成について説明する。
【００３０】
［携帯端末１の構成例］
まず、携帯端末１の機能構成について説明する。図２は、本実施形態に係る携帯端末１の構成図である。携帯端末１は、表示部１１と、入力部１２と、記憶部１３と、制御部１４とを備える。
【００３１】
表示部１１は、例えば、液晶ディスプレイや有機ＥＬ（Electro-Luminescence）ディスプレイ等により構成される。表示部１１は、制御部１４の制御に応じて受信機７から受信した番組コンテンツを表示する。
入力部１２は、例えば、ボタンや、表示部１１に対応して配置される接触センサ等により構成されており、携帯端末１のユーザから操作入力を受け付ける。
【００３２】
記憶部１３は、例えば、ＲＯＭ及びＲＡＭ等により構成される。記憶部１３は、携帯端末１を機能させるための各種プログラムを記憶する。具体的には、記憶部１３は、携帯端末１を、コンテンツ選択部１４１、第１特定部１４２、第２特定部１４３、通知部１４４、送信要求部１４５、及び表示制御部１４６として動作させる通信制御プログラムを記憶する。
【００３３】
制御部１４は、例えば、ＣＰＵにより構成される。制御部１４は、記憶部１３に記憶されている各種プログラムを実行することにより、携帯端末１に係る機能を制御する。制御部１４は、コンテンツ選択部１４１と、第１特定部１４２と、第２特定部１４３と、通知部１４４と、送信要求部１４５と、表示制御部１４６とを備える。
【００３４】
コンテンツ選択部１４１は、携帯端末１が宅外に存在している場合に、入力部１２により受信機７にアクセスする操作が行われると、無線ネットワークＮ１、ネットワークＮ３、ケーブルテレビ網Ｎ２を介して、受信機７にコンテンツリストの取得リクエストを送信する。受信機７は、コンテンツリストの取得リクエストを受信すると、コンテンツリストを生成し、当該コンテンツリストを携帯端末１に送信する。また受信機７は、現時点での番組コンテンツの送信に係る能力（例えば、番組コンテンツの変換能力）を示すトランスコード情報を送信する。なお、受信機７は、他の処理との競合等によって番組コンテンツを変換することができない場合、トランスコード情報を送信せずに、コンテンツリストのみ送信する。
【００３５】
その後、コンテンツ選択部１４１は、受信機７からコンテンツリストを受信し、当該コンテンツリストを表示部１１に表示させ、ユーザから当該コンテンツリストに含まれる番組コンテンツの選択を受け付ける。コンテンツ選択部１４１は、ユーザによる番組コンテンツの選択操作に応じて、番組コンテンツを選択する。
【００３６】
第１特定部１４２は、無線ネットワークＮ１における携帯端末１への下りの通信速度を特定する。具体的には、第１特定部１４２は、コンテンツ選択部１４１が番組コンテンツを選択したことに応じて、無線ネットワークＮ１の通信種別を示す情報を取得し、当該通信種別に基づいて下りの通信速度を特定する。
【００３７】
携帯端末１のＯＳ（Operating System）が、Android（登録商標）である場合について説明すると、第１特定部１４２は、ConnectivityManagerクラスを用いて、無線ネットワークＮ１の通信種別を示す情報を取得する。例えば、第１特定部１４２は、無線ネットワークＮ１が、ＬＴＥ（Long Term Evolution）回線、Ｗｉ−Ｆｉ（登録商標）、ＷｉＭａｘ（登録商標）、３Ｇ回線のいずれかであることを特定する。そして、第１特定部１４２は、これらの通信種別に予め関連付けられている通信速度を特定する。
【００３８】
なお、第１特定部１４２は、無線ネットワークＮ１の通信種別を示す情報を取得し、当該通信種別に基づいて下りの通信速度を特定したが、これに限らない。第１特定部１４２は、携帯端末１が無線基地局３から受信する電波の電波強度に基づいて通信速度を特定してもよい。
【００３９】
第２特定部１４３は、ケーブルテレビ網Ｎ２における受信機７からの上りの通信速度を特定する。具体的には、第２特定部１４３は、コンテンツ選択部１４１が番組コンテンツを選択したことに応じて、通信監視装置４に、受信機７からの上りの通信速度を取得する取得リクエストを送信する。この取得リクエストには、受信機７を識別する受信機ＩＤが含まれており、通信監視装置４は、当該受信機ＩＤに基づいて、受信機７からの上りの通信速度を特定して携帯端末１に送信する。第２特定部１４３は、当該受信機７からの上りの通信速度を示す情報を通信監視装置４から取得することにより、受信機７からの上りの通信速度を特定する。
【００４０】
なお、第２特定部１４３は、ＣＭＴＳ５が常に監視しているノードのトラヒック量から、推定された受信機７からの上りの通信速度を示す情報を取得してもよい。すなわち、センター局のＣＭＴＳ５では、常に配下のノードの全体トラヒック量を把握しているため、通信監視装置４は、取得リクエストを受信したことに応じて、ＣＭＴＳ５が把握しているトラヒック量に基づいて、受信機７が所属しているノードの混雑状況から、上りの通信速度を推定し、当該通知速度を携帯端末１に通知してもよい。
【００４１】
通知部１４４は、コンテンツ選択部１４１が番組コンテンツを選択すると、第１特定部１４２が特定した下りの通信速度、及び第２特定部１４３が特定した上りの通信速度に基づいて、無線ネットワークＮ１及びケーブルテレビ網Ｎ２のそれぞれの通信品質を特定する情報を携帯端末１のユーザに通知する。
【００４２】
具体的には、通知部１４４は、第１特定部１４２が特定した下りの通信速度、及び第２特定部１４３が特定した上りの通信速度のそれぞれについて、携帯端末１における、受信機７から送信されるコンテンツの視聴に必要とされる通信速度（以下、基準速度という。）を満たしているか否かを判定する。通知部１４４は、基準速度を超えていると判定した場合には通信速度が十分であると判定し、基準速度を超えていないと判定した場合には通信速度が不十分であると判定する。
【００４３】
通知部１４４は、第１特定部１４２が特定した下りの通信速度、及び第２特定部１４３が特定した上りの通信速度のそれぞれについて、通信速度が十分であるか否かに基づいて、通信品質を特定する情報として、図３に示す異なるメッセージを表示部１１に表示させることによって通知する。
【００４４】
例えば、通知部１４４は、第１特定部１４２が特定した下りの通信速度が十分、かつ、第２特定部１４３が特定した上りの通信速度が不十分である場合には、時間を改めて再度遠隔視聴を試すか、受信機７において利用中のサービスをオフにして再度遠隔視聴を試す旨のメッセージを通知する。
【００４５】
また、通知部１４４は、第１特定部１４２が特定した下りの通信速度が不十分、かつ、第２特定部１４３が特定した上りの通信速度が十分である場合には、携帯端末１が受信する電波の受信状況が改善される場所で再度遠隔視聴を試すか、他の通信方式に切り替えて再度遠隔視聴を試す旨のメッセージを通知する。
【００４６】
なお、通知部１４４は、コンテンツ選択部１４１が番組コンテンツを選択したことに応じて無線ネットワークＮ１及びケーブルテレビ網Ｎ２のそれぞれの通信品質を特定する情報を携帯端末１のユーザに通知したがこれに限らない。例えば、後述する表示制御部１４６が番組コンテンツを表示部１１に表示させている場合において、通信遅延等によって番組コンテンツが表示部１１に表示されない、又は表示されにくい状態となったことに応じて、無線ネットワークＮ１及びケーブルテレビ網Ｎ２のそれぞれの通信品質を特定する情報を携帯端末１のユーザに通知してもよい。このようにすることで、携帯端末１のユーザは、番組コンテンツの視聴中に番組コンテンツが表示されなくなった理由を把握し、番組コンテンツを視聴するために適切な行動をとることができる。
【００４７】
また、通知部１４４は、受信機７から受信したトランスコード情報に基づいて、受信機７が遅延なく変換可能な画質を示す情報を通知してもよい。また、受信機７において番組コンテンツを変換することができないことによって、携帯端末１がトランスコード情報を受信機７から受信できなかった場合、通知部１４４は、受信機７において番組コンテンツを変換することができない旨を示すメッセージを通知してもよい。
【００４８】
送信要求部１４５は、通知部１４４がメッセージを通知した後、入力部１２によって番組コンテンツを視聴する操作が行われると、当該番組コンテンツを識別するコンテンツＩＤを含む遠隔視聴リクエストを受信機７に要求する。この際、送信要求部１４５は、第１特定部１４２が特定した下りの通信速度、及び第２特定部１４３が特定した上りの通信速度に基づいて、番組コンテンツの視聴に適した当該番組コンテンツの品質を特定し、受信機７に、特定した品質の番組コンテンツの送信を要求してもよい。
【００４９】
例えば、送信要求部１４５は、第１特定部１４２が特定した下りの通信速度、及び第２特定部１４３が特定した上りの通信速度の少なくともいずれかが不十分と判定された場合に番組コンテンツを視聴する操作が行われると、番組コンテンツの視聴に適した品質を低画質又は低ビットレートと特定する。送信要求部１４５は、第１特定部１４２が特定した下りの通信速度、及び第２特定部１４３が特定した上りの通信速度の双方が十分と判定された場合に番組コンテンツを視聴する操作が行われると、番組コンテンツの視聴に適した品質を高画質及び高ビットレートと特定する。送信要求部１４５は、特定した品質を含む遠隔視聴リクエストを受信機７に送信する。受信機７では、当該遠隔視聴リクエストを受信したことに応じて、送信要求部１４５が特定した品質に基づいて番組コンテンツのストリーミングデータを生成し、携帯端末１に送信する。
表示制御部１４６は、送信要求部１４５の要求に応じて受信機７が送信した番組コンテンツを受信し、当該番組コンテンツを表示部１１に表示させる。
【００５０】
［通信監視装置４の構成例］
続いて、通信監視装置４の構成について説明する。図４は、本実施形態に係る通信監視装置４の構成図である。通信監視装置４は、記憶部４１と、制御部４２とを備える。
記憶部４１は、例えば、ＲＯＭ及びＲＡＭ等により構成される。記憶部４１は、通信監視装置４を機能させるための各種プログラムを記憶する。また、記憶部４１は、複数のノードアンプ６のそれぞれに対応する上りの通信速度を示すノードトラヒックＤＢ４１１を記憶する。図５は、ノードトラヒックＤＢ４１１に記憶されている情報の一例を示す図である。図５に示されるように、ノードトラヒックＤＢ４１１には、ノードを識別するノードＩＤと、当該ノードにおける上りの通信速度と、当該ノードに紐づく受信機７の受信機ＩＤとを関連付けて記憶している。
【００５１】
制御部４２は、例えば、ＣＰＵにより構成される。制御部４２は、記憶部４１に記憶されている各種プログラムを実行することにより、通信監視装置４に係る機能を制御する。制御部４２は、監視部４２１と、取得部４２２と、送信部４２３とを備える。
【００５２】
監視部４２１は、受信機７からの上りの通信速度を測定する。具体的には、監視部４２１は、ＣＭＴＳ５を流れるトラヒックを監視し、ノードアンプ６それぞれに対応する上りの通信速度を測定することで、受信機７からの上りの通信速度を測定する。監視部４２１は、ノードアンプ６を識別するノードＩＤと、当該ノードアンプ６における通信速度と、当該ノードアンプ６に紐づく受信機７の受信機ＩＤとを関連付けてノードトラヒックＤＢ４１１に記憶させる。
【００５３】
なお、監視部４２１は、まず、各ノードの混雑状況を監視しておき、その後、センター局のＣＭＴＳ５が把握している、ノードの全体トラヒック量に基づいて、受信機７が所属しているノードの混雑状況から、上りの通信速度を推定してもよい。
【００５４】
取得部４２２は、携帯端末１から、通信速度を取得する取得リクエストを受信し、当該取得リクエストに含まれている受信機ＩＤに基づいて、当該受信機ＩＤに対応する受信機７からの上りの通信速度を特定する。具体的には、取得部４２２は、ノードトラヒックＤＢ４１１を参照し、受信した受信機ＩＤに関連付けられている通信速度を特定する。
送信部４２３は、取得部４２２が取得した通信速度を示す情報を、取得リクエストを送信した携帯端末１に送信する。
【００５５】
［受信機７の構成例］
続いて、受信機７の構成について説明する。図６は、本実施形態に係る受信機７の構成図である。受信機７は、記憶部７１と、制御部７２とを備える。
記憶部７１は、例えば、ＲＯＭ及びＲＡＭ等により構成される。記憶部７１は、受信機７を機能させるための各種プログラムを記憶する。また、記憶部７１は、ＣＭＴＳ５を介して受信した、放送局又はケーブルテレビ事業者が提供する番組コンテンツを格納する番組コンテンツＤＢ７１１を記憶する。
【００５６】
制御部７２は、例えば、ＣＰＵにより構成される。制御部７２は、記憶部７１に記憶されている各種プログラムを実行することにより、受信機７に係る機能を制御する。制御部７２は、記憶制御部７２１と、遠隔視聴受付部７２２と、送信部７２３とを備える。
【００５７】
記憶制御部７２１は、ユーザの録画指示によって、ＣＭＴＳ５を介して番組コンテンツを受信し、当該番組コンテンツを番組コンテンツＤＢ７１１に記憶させる。
遠隔視聴受付部７２２は、ＣＭＴＳ５を介して携帯端末１から番組コンテンツの遠隔視聴リクエストを受け付ける。
送信部７２３は、遠隔視聴リクエストが受け付けられたことに応じて、遠隔視聴リクエストに含まれているコンテンツＩＤに基づいて番組コンテンツを選択し、ストリーミングデータを生成する。送信部７２３は、生成したストリーミングデータを、ＣＭＴＳ５を介して携帯端末１に送信する。
【００５８】
［番組コンテンツの遠隔視聴に係るシーケンス］
続いて、コンテンツ視聴システムＳにおける、番組コンテンツの遠隔視聴に係る処理の流れについて説明する。図７は、第１実施形態に係る携帯端末１から番組コンテンツを遠隔視聴する際のシーケンス図である。図８は、図７に続くシーケンス図である。なお、携帯端末１は、ユーザの住宅外に位置するものとする。
【００５９】
まず、携帯端末１のコンテンツ選択部１４１は、受信機７にアクセスする操作が行われたことに応じて、コンテンツリストの取得リクエストを受信機７に送信する。
続いて、受信機７は、コンテンツリストの取得リクエストを受信したことに応じて、コンテンツリストを生成し（Ｓ１０）、当該コンテンツリストを携帯端末１に送信する。
続いて、携帯端末１がコンテンツリストを受信し、ユーザが当該コンテンツリストに基づいて番組コンテンツを選択する（Ｓ２０）。
【００６０】
続いて、携帯端末１の第１特定部１４２は、無線ネットワークＮ１における携帯端末１への下りの通信速度を特定する（Ｓ３０）。
続いて、第２特定部１４３は、通信監視装置４に、受信機７からの上りの通信速度を取得する取得リクエストを送信する。
【００６１】
続いて、通信監視装置４は、取得リクエストを受信すると、ノードトラヒックＤＢ４１１を参照し、当該取得リクエストに含まれる受信機ＩＤに基づいて、受信機７からの上りの通信速度を特定する（Ｓ４０）。通信監視装置４は、当該通信速度を示す通信速度情報を携帯端末１に送信する。第２特定部１４３は、通信速度情報を受信することによって、受信機７からの上りの通信速度を特定する。
【００６２】
続いて、通知部１４４は、第１特定部１４２が特定した下りの通信速度、及び第２特定部１４３が特定した上りの通信速度に基づいて、無線ネットワークＮ１及びケーブルテレビ網Ｎ２のそれぞれの通信品質を特定する情報を携帯端末１のユーザに通知する（Ｓ５０）。
【００６３】
続いて、図８に説明を移す。送信要求部１４５は、入力部１２によって番組コンテンツを視聴する操作が行われたか否かを判定する（Ｓ６０）。送信要求部１４５は、当該操作が行われたと判定すると、当該番組コンテンツの遠隔視聴リクエストを受信機７に要求する。この際、送信要求部１４５は、番組コンテンツの視聴に適した当該番組コンテンツの品質を特定し、特定した品質の番組コンテンツの送信を受信機７に要求する。
【００６４】
受信機７は、遠隔視聴リクエストに含まれているコンテンツＩＤに基づいて番組コンテンツを選択し、選択した番組コンテンツのストリーミングデータを生成する（Ｓ７０）。受信機７は、生成したストリーミングデータを携帯端末１に送信する。
携帯端末１の表示制御部１４６は、ストリーミングデータを受信すると、当該ストリーミングデータに基づいて、番組コンテンツを表示部１１に表示させる（Ｓ８０）。
【００６５】
［第１実施形態における効果］
以上のとおり、本実施形態に係る携帯端末１は、第１特定部１４２が特定した下りの通信速度、及び第２特定部１４３が特定した上りの通信速度に基づいて、無線ネットワークＮ１及びケーブルテレビ網Ｎ２のそれぞれの通信品質を特定する情報を携帯端末１のユーザに通知する。このようにすることで、携帯端末１は、ユーザに対して、無線ネットワークＮ１及びケーブルテレビ網Ｎ２の状況を把握できるように、適切な案内を出すことができる。そして、携帯端末１のユーザは、無線ネットワークＮ１及びケーブルテレビ網Ｎ２の状況を把握し、番組コンテンツが良好に遠隔視聴できない場合であっても最適な行動をとることができる。
【００６６】
＜第２実施形態＞
［ラウンドトリップタイムに基づいて通信速度を特定する］
続いて、第２実施形態について説明する。第２実施形態に係るコンテンツ視聴システムＳは、通信速度を特定する方法が第１実施形態と異なり、その他の点では同じである。
【００６７】
具体的には、第２実施形態に係る第１特定部１４２は、無線通信制御装置２に対してＰｉｎｇコマンドを送信し、ラウンドトリップタイム（ＲＴＴ：Round-Trip Time）を測定する。そして、第１特定部１４２は、測定結果に基づいて通信速度を特定する。
第２実施形態に係る第２特定部１４３は、受信機７に、上りの通信速度の取得リクエストを送信し、受信機７から、上りの通信速度を示す情報を受信する。
【００６８】
図９は、第２実施形態に係る受信機７の構成を示す図である。第２実施形態に係る受信機７は、通信速度特定部７２４をさらに備える。通信速度特定部７２４は、例えば、ＣＭＴＳ５を介して携帯端末１から受信機７における上りの通信速度の取得リクエストを受信したことに応じて、通信監視装置４又はＣＭＴＳ５に対してＰｉｎｇコマンドを送信し、ラウンドトリップタイムを測定する。そして、通信速度特定部７２４は、測定結果に基づいて通信速度を特定し、当該通信速度を示す情報を携帯端末１に送信する。
【００６９】
［第２実施形態における効果］
以上のとおり、本実施形態に係る携帯端末１は、ラウンドトリップタイムに基づいて通信速度を特定する。また、携帯端末１は、受信機７においてラウンドトリップタイムに基づいて特定された通信速度を示す情報を受信することで、受信機７から上りの通信速度を特定する。ラウンドトリップタイムと通信速度とは相関があることから、携帯端末１は、ラウンドトリップタイムに基づいて精度よく通信速度を特定することができる。
【００７０】
＜第３実施形態＞
［通信速度が不十分である場合にＶＯＤサーバ８への切り替えを提示する］
続いて、第３実施形態について説明する。図１０は、第３実施形態に係るコンテンツ視聴システムＳの構成及び周辺環境を示す図である。
【００７１】
第３実施形態では、図１０に示すように、コンテンツ視聴システムＳの周辺環境として、受信機７とは異なるコンテンツ提供装置としての、複数のＶＯＤ（Video On Demand）サーバ８が設けられている。ＶＯＤサーバ８は、例えば、放送局が運営するサーバであり、番組コンテンツを提供する複数の放送局のそれぞれに対応して設けられている。ＶＯＤサーバ８は、放送終了後の番組コンテンツを提供するＶＯＤサービスを提供しており、ユーザが見逃した番組コンテンツを視聴可能にしている。このＶＯＤサーバ８は、ネットワークＮ３に接続されている。
【００７２】
第３実施形態における、コンテンツ視聴システムＳでは、携帯端末１の通知部１４４が、第１特定部１４２又は第２特定部１４３が特定した通信速度が不十分である場合に、番組コンテンツの取得先を受信機７からＶＯＤサーバ８に切り替えることを提示する点で第２の実施形態と異なり、その他の点では同じである。以下、第３実施形態に係るコンテンツ視聴システムＳについて説明する。なお、第２実施形態と同じ構成については説明を省略する。
【００７３】
第３実施形態に係る無線通信制御装置２は、応答時間測定装置として機能し、複数のＶＯＤサーバ８のそれぞれに対して定期的にＰｉｎｇコマンドを送信し、ラウンドトリップタイムを測定する。そして、無線通信制御装置２は、測定結果に基づいてＶＯＤサーバ８が提供するサービスの混雑状況を特定する。
【００７４】
また、第３実施形態に係る携帯端末１は、図１１に示すように、ＶＯＤサーバ８の混雑状況（負荷状況）を特定する第３特定部１４７を備える。この第３特定部１４７は、無線通信制御装置２にＶＯＤサーバ８が提供するサービスの混雑状況について問合せを行い、無線通信制御装置２から混雑状況を示す情報を取得することで、当該混雑状況を特定する。第３特定部１４７は、コンテンツ選択部１４１が選択した番組コンテンツがどのＶＯＤサーバ８から提供されているかを特定し、当該ＶＯＤサーバ８における混雑状況を問い合わせることによって当該混雑状況を特定する。
【００７５】
通知部１４４は、第１特定部１４２が特定した下りの通信速度、及び第２特定部１４３が特定した上りの通信速度の少なくともいずれかが、番組コンテンツの視聴に必要とされる通信速度に足りていない場合に、無線ネットワークＮ１及びケーブルテレビ網Ｎ２のそれぞれの通信品質を特定する情報を携帯端末１のユーザに通知するとともに、ＶＯＤサーバ８を介して番組コンテンツを視聴することを当該ユーザに提示する。
【００７６】
具体的には、通知部１４４は、通信品質を特定する情報として、図３に示す異なるメッセージを表示部１１に表示させることによって通知する。さらに、通知部１４４は、第１特定部１４２が特定した下りの通信速度と、第２特定部１４３が特定した上りの通信速度とが十分であるか否か、及び、第３特定部１４７が特定したＶＯＤサーバ８の混雑状況が、混雑していることを示しているか否かに基づいて、ＶＯＤサーバ８を介して番組コンテンツを視聴する際における、番組コンテンツの視聴方法を当該ユーザに提示する。より具体的には、通知部１４４は、図１２に示す表に基づいて、番組コンテンツを視聴する際の視聴方法を示すメッセージを表示部１１に表示させることによって、当該ユーザに視聴方法を提示する。
【００７７】
図１２に示す表では、携帯端末１への下りの通信速度が十分であるか否か、受信機７からの上りの通信速度が十分であるか否か、及びＶＯＤサーバ８が混雑しているか否かに基づいて、パターン１からパターン６を定義している。
【００７８】
具体的には、携帯端末１への下りの通信速度、及び受信機７からの上りの通信速度が十分である場合には、通知部１４４は、ＶＯＤサーバ８が混雑しているか否かにかかわらず、メッセージを通知しない。
【００７９】
携帯端末１への下りの通信速度が十分、受信機７からの上りの通信速度が不十分、及び、ＶＯＤサーバ８が混雑なしの場合（パターン１）には、通知部１４４は、ＶＯＤサーバ８が提供するＶＯＤサービス（ストリーミングサービス）へのリンクを表示部１１に表示させる。
【００８０】
携帯端末１への下りの通信速度が十分、受信機７からの上りの通信速度が不十分、及び、ＶＯＤサーバ８が混雑ありの場合（パターン２）には、ストリーミングサービスによる番組コンテンツの視聴が困難であることから、通知部１４４は、ＶＯＤサーバ８が提供するダウンロードサービスへのリンクを表示部１１に表示させる。ここで、ダウンロードサービスとは、番組コンテンツに対応するファイルをダウンロードし、ダウンロード完了後に当該ファイルに基づいて番組コンテンツを視聴可能とするサービスである。
【００８１】
携帯端末１への下りの通信速度が不十分、受信機７からの上りの通信速度が十分、及び、ＶＯＤサーバ８が混雑なしの場合（パターン３）には、ストリーミングサービスによる番組コンテンツの視聴が困難であることから、通知部１４４は、ＶＯＤサーバ８が提供するダウンロードサービスへのリンクを表示部１１に表示させる。ＶＯＤサーバ８が提供するダウンロードサービスへのリンクを表示部１１に表示させることにより、受信機７が紐づくノードアンプ６における通信帯域に余裕を持たせることができる。
【００８２】
携帯端末１への下りの通信速度が不十分、受信機７からの上りの通信速度が十分、及び、ＶＯＤサーバ８が混雑ありの場合（パターン４）には、ストリーミングサービスによる番組コンテンツの視聴が困難であることから、通知部１４４は、受信機７が提供するダウンロードサービスへのリンクを表示部１１に表示させる。
【００８３】
携帯端末１への下りの通信速度が不十分、受信機７からの上りの通信速度が不十分、及び、ＶＯＤサーバ８が混雑なしの場合（パターン５）には、ストリーミングサービスによる番組コンテンツの視聴が困難であることから、通知部１４４は、ＶＯＤサーバ８が提供するダウンロードサービスへのリンクを表示部１１に表示させる。
【００８４】
携帯端末１への下りの通信速度が不十分、受信機７からの上りの通信速度が不十分、及び、ＶＯＤサーバ８が混雑ありの場合（パターン６）には、通知部１４４は、番組コンテンツの視聴が困難である旨を表示部１１に表示させる。
【００８５】
なお、通知部１４４は、番組視聴コンテンツの視聴が困難である場合（パターン６の場合）において、その後に特定された無線ネットワークＮ１及びケーブルテレビ網Ｎ２のそれぞれの通信品質が改善したか否かを判定してもよい。そして、通知部１４４は、無線ネットワークＮ１及びケーブルテレビ網Ｎ２のそれぞれの通信品質が改善されたと判定した場合に、受信機７又はＶＯＤサーバ８を介して番組コンテンツを視聴可能になった旨をユーザに通知してもよい。この場合、通知部１４４は、図１２に示す表に基づいて、番組コンテンツの視聴方法を特定し、当該視聴方法を当該ユーザに提示してもよい。また、通知部１４４は、この段階で、受信機７において競合状態に基づいて、携帯端末１において番組コンテンツを視聴できるか否かを判定し、当該判定結果に基づいて視聴方法を特定してもよい。
【００８６】
また、この実施形態において、番組コンテンツの取得元を、受信機７からＶＯＤサーバ８に切り替える操作は、番組コンテンツの取得開始時だけではなく、番組コンテンツを受信している途中で実施することも可能である。すなわち、携帯端末１は、受信機７を介して番組コンテンツを取得する場合においても、当該番組コンテンツを視聴するためのＶＯＤサーバ８のアドレスを取得しておく。そして、携帯端末１の表示制御部１４６は、受信機７に格納された番組コンテンツを表示部１１に表示させる場合、番組コンテンツの先頭からの経過時間（再生位置）を常に取得しておく。ここでは、ユーザの操作によって、早送りや巻き戻し等のトリックプレイが行われた場であっても、番組コンテンツの先頭からの経過時間（再生位置）を常に取得できるものとする。
【００８７】
そして、番組コンテンツ再生中に、受信機７からの上りのネットワークの通信速度の低下が検知された場合、受信機７は、通信速度の低下を示す通知情報を携帯端末１に通知する。携帯端末１の表示制御部１４６は、当該通知情報を受信したことに応じて、事前に通信監視装置４から取得済みのアドレスにアクセスし、番組コンテンツの取得元を受信機７からＶＯＤサーバ８に切り替える。この際、表示制御部１４６は、受信機７からで最後に受信していた時点の、番組コンテンツの先頭からの経過時間（再生位置）から番組コンテンツを取得する旨の再生位置変更リクエストをＶＯＤサーバ８に送信してもよい。このようにすることで、携帯端末１は、番組コンテンツを受信している最中においても、環境の変化に応じてより適切な取得元に切り替えることが出来るだけでなく、その番組コンテンツについても、ユーザが視聴していた見ていた位置（再生位置）の続きから自動的に再生することが可能となる。
【００８８】
［第３実施形態における効果］
以上のとおり、本実施形態に係る携帯端末１は、第１特定部１４２が特定した下りの通信速度、及び第２特定部１４３が特定した上りの通信速度の少なくともいずれかが、番組コンテンツの視聴に必要とされる通信速度に足りていない場合に、ＶＯＤサーバ８を介して番組コンテンツを視聴することを当該ユーザに提示する。このようにすることで、受信機７における上りの通信速度が番組コンテンツの視聴に不十分であっても、ユーザは、ＶＯＤサーバ８を介して番組コンテンツを視聴することができる。さらに、携帯端末１における下りの通信速度が不十分である場合にも、ユーザは、ダウンロードサービスを利用して番組コンテンツを視聴することができる。
【００８９】
＜第４実施形態＞
［携帯端末１が移動している場合にＶＯＤサーバ８から番組コンテンツを取得する］
続いて、第４実施形態について説明する。携帯端末１が移動している場合には、無線ネットワークＮ１の通信品質は時々刻々と変化する。これにより、携帯端末１への下りの通信速度が低下し、受信機７を介した番組コンテンツの視聴に支障が発生する場合がある。これに対し、ＶＯＤサーバ８は、一つの番組コンテンツについて、画質やビットレートが異なる複数の品質の番組コンテンツを記憶しており、通信速度の低下に対して、番組コンテンツの品質を柔軟に切り替えることが可能である（例えば、Adaptive Bitrate Streamingと呼ばれる仕組みを用いることができる）。このため、第４実施形態では、携帯端末１が移動中等、通信品質が安定しない場合にＶＯＤサーバ８から番組コンテンツを取得する。その他の点については、第２実施形態に係る携帯端末１と同じである。以下、第４実施形態に係る携帯端末１の構成について説明する。
【００９０】
図１３は、第４実施形態に係る携帯端末１の構成を示す図である。第４実施形態に係る携帯端末１は、移動判定部１４８をさらに備える。
移動判定部１４８は、携帯端末１が移動中であるか否かを判定する。具体的には、移動判定部１４８は、ＧＰＳ（Global Positioning System）機能を用いて携帯端末１の位置を示す位置情報を定期的に取得し、当該位置情報が示す位置の変化を検出することで携帯端末１が移動中であるか否かを判定する。
【００９１】
送信要求部１４５は、携帯端末１が移動中であると判定された場合に、ＶＯＤサーバ８に番組コンテンツの送信を要求する。ＶＯＤサーバ８は、番組コンテンツを、携帯端末１との通信状況に適した品質に変化させながら、携帯端末１に送信する。
【００９２】
［第４実施形態における効果］
以上のとおり、本実施形態に係る携帯端末１は、携帯端末１が移動中であると判定された場合に、ＶＯＤサーバ８に番組コンテンツの送信を要求する。このようにすることで、携帯端末１が移動中であることにより無線ネットワークＮ１において携帯端末１への下りの通信速度が悪化した場合であっても、ＶＯＤサーバ８が、当該通信速度に対応して品質を変化させながら番組コンテンツを携帯端末１に送信するので、安定して番組コンテンツを視聴することができる。
【００９３】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。特に、装置の分散・統合の具体的な実施形態は以上に図示するものに限られず、その全部又は一部について、種々の付加等に応じて、又は、機能負荷に応じて、任意の単位で機能的又は物理的に分散・統合して構成することができる。
【００９４】
また、上記実施の形態では、無線通信制御装置２は、ケーブルテレビ網のＣＭＴＳ５に接続して設けられることとしたが、これに限らない。例えば、無線通信制御装置２は、トラヒックが通過するポイントである、スイッチ等の通信機器に接続して設けられてもよい。
【符号の説明】
【００９５】
１・・・携帯端末、１１・・・表示部、１２・・・入力部、１３・・・記憶部、１４・・・制御部、１４１・・・コンテンツ選択部、１４２・・・第１特定部、１４３・・・第２特定部、１４４・・・通知部、１４５・・・送信要求部、１４６・・・表示制御部、１４７・・・第３特定部、１４８・・・移動判定部、２・・・無線通信制御装置、３・・・無線基地局、４・・・通信監視装置、４１・・・記憶部、４１１・・・ノードトラヒックＤＢ、４２・・・制御部、４２１・・・監視部、４２２・・・取得部、４２３・・・送信部、５・・・ＣＭＴＳ、６・・・ノードアンプ、７・・・受信機、７１・・・記憶部、７１１・・・番組コンテンツＤＢ、７２・・・制御部、７２１・・・記憶制御部、７２２・・・リモート視聴受付部、７２３・・・取得部、７２４・・・通信速度特定部、８・・・ＶＯＤサーバ、Ｎ１・・・無線ネットワーク、Ｎ２・・・ケーブルテレビ網、Ｎ３・・・ネットワーク、Ｓ・・・コンテンツ視聴システム
【図１】
2019024204.tif 000003
【図２】
2019024204.tif 000004
【図３】
2019024204.tif 000005
【図４】
2019024204.tif 000006
【図５】
2019024204.tif 000007
【図６】
2019024204.tif 000008
【図７】
2019024204.tif 000009
【図８】
2019024204.tif 000010
【図９】
2019024204.tif 000011
【図１０】
2019024204.tif 000012
【図１１】
2019024204.tif 000013
【図１２】
2019024204.tif 000014
【図１３】
2019024204.tif 000015